(57)【要約】【課題】棒状の光（像）を形成することができ、かつ、光源が発光した光の利用効率が高い照明装置を提供する。【解決手段】透明又は半透明材料により形成された導光部材と、前記導光部材に入射させる光を発光する光源と、前記導光部材に形成されており、前記光源から前記導光部材に入射した光を反射する複数の個別反射面と、を備えており、前記複数の個別反射面は、前記光源の光軸に対して略直交する方向に延びており、かつ、前記光源の光軸に対して所定角度傾斜した方向に配置されており、前記光源から前記導光部材に入射した光を反射することにより棒状の光を出現させる。【選択図】  図２
2008292658.tif 000002
【特許請求の範囲】
【請求項１】
透明又は半透明材料により形成された導光部材と、
前記導光部材に入射させる光を発光する光源と、
前記導光部材に形成されており、前記光源から前記導光部材に入射した光を反射する複数の個別反射面と、
を備えており、
前記複数の個別反射面は、前記光源の光軸に対して略直交する方向に延びており、かつ、前記光源の光軸に対して所定角度傾斜した方向に配置されており、前記光源から前記導光部材に入射した光を反射することにより棒状の光を出現させることを特徴とする照明装置。
【請求項２】
前記出現した棒状の光を反射し前記棒状の光の虚像を作り出す反射面をさらに備えることを特徴とする請求項１に記載の照明装置。
【請求項３】
前記導光部材は、少なくとも前記光源が発光した光が入射する第１平面と、前記第１平面に直交する第２平面と、前記第２平面に対して所定角度傾斜した傾斜面とにより規定される略三角柱の形状であり、
前記複数の個別反射面は、前記傾斜面に形成されており、
前記反射面は、前記傾斜面に対して所定角度傾斜した状態で配置されていることを特徴とする請求項２に記載の照明装置。
【請求項４】
前記複数の個別傾斜面の断面が直線、円形、楕円形、又は、多角形のうちのいずれかであることを特徴とする請求項１から３のいずれかに記載の照明装置。
【請求項５】
前記反射面の断面が直線、円形、楕円形、又は、多角形のうちのいずれかであることを特徴とする請求項１から４のいずれかに記載の照明装置。
【請求項６】
光源から入射した光を反射することにより棒状の光を出現させる透明又は半透明材料により形成された導光部材において、
前記光源から入射した光を反射する複数の個別反射面を備えており、
前記複数の個別反射面は、前記光源の光軸に対して略直交する方向に延びており、かつ、前記光源の光軸に対して所定角度傾斜した方向に配置されていることを特徴とする棒状光形成用導光部材。
【発明の詳細な説明】
【技術分野】
【０００１】
本発明は、照明装置に関し、特に棒状の光（像）を形成することができ、かつ、光源が発光した光の利用効率が高い照明装置に関する。
【背景技術】
【０００２】
従来、片側表面に円環状に連なる複数のプリズムが周期的に形成された光透過性のプリズム板、及び、複数の光源を用いて、光源ごとに異なる位置に斜め後方に末広がり状に延びる楔形形状の光線像を形成する装置が提案されている（特許文献１）。
【特許文献１】特開２０００−３５７７０号公報
【発明の開示】
【発明が解決しようとする課題】
【０００３】
しかしながら、特許文献１に記載の装置では、複数のプリズムが円環状に連なっているため、棒状の光（像）を形成することができない。また、光源とプリズムの間が空間であるため、光源が発光した光がプリズムに達するまでに拡散してしまい、光の利用効率が良くないという問題がある。
【０００４】
本発明は、このような事情に鑑みてなされたものであり、棒状の光（像）を形成することができ、かつ、光源が発光した光の利用効率が高い照明装置を提供することを目的とする。
【課題を解決するための手段】
【０００５】
本発明は上記課題を解決するために、請求項１に記載の発明は、透明又は半透明材料により形成された導光部材と、前記導光部材に入射させる光を発光する光源と、前記導光部材に形成されており、前記光源から前記導光部材に入射した光を反射する複数の個別反射面と、を備えており、前記複数の個別反射面は、前記光源の光軸に対して略直交する方向に延びており、かつ、前記光源の光軸に対して所定角度傾斜した方向に配置されており、前記光源から前記導光部材に入射した光を反射することにより棒状の光を出現させることを特徴とする。
【０００６】
請求項１に記載の発明によれば、光源の光軸に対して所定角度傾斜した方向に配置された複数の個別反射面により光源から導光部材に入射した光を反射することにより、棒状の光（実像）を出現させることが可能となる。
【０００７】
また、請求項１に記載の発明によれば、光源が発光した光は導光部材に入射し導光部材を通って各個別反射面に達して各個別反射面で反射する。これにより、棒状の光が出現する。すなわち、従来と比較して各個別反射面に達する間に拡散する光が少なくなるので、光の利用効率を向上させることが可能となる。
【０００８】
請求項２に記載の発明は、請求項１に記載の発明において、前記出現した棒状の光を反射し前記棒状の光の虚像を作り出す反射面をさらに備えることを特徴とする。
【０００９】
請求項２に記載の発明によれば、反射面を備えているので、光源が一つであっても複数の棒状の光を視認させることが可能となる。すなわち、光の利用効率をさらに向上させることが可能となる。これにより、光源削減、コスト低下が可能となる。
【００１０】
請求項３に記載の発明は、請求項１又は２に記載の発明において、前記導光部材は、少なくとも前記光源が発光した光が入射する第１平面と、前記第１平面に直交する第２平面と、前記第２平面に対して所定角度傾斜した傾斜面とにより規定される略三角柱の形状であり、前記複数の個別反射面は、前記傾斜面に形成されており、前記反射面は、前記傾斜面に対して所定角度傾斜した状態で配置されていることを特徴とする。
【００１１】
請求項３に記載の発明によれば、傾斜面に対して所定角度傾斜した状態で配置された反射面により棒状の光（実像）を反射するので、この所定傾斜角度に応じた角度傾斜しているように視認される棒状の光（実像）の虚像を作り出すことが可能となる。この棒状の光（実像）の虚像は、棒状の光（実像）とは逆方向に傾斜しているように視認される。すなわち、請求項３に記載の発明によれば、棒状の光（実像）と棒状の光（虚像）が立体交差しているように視認される奥行き感のある新規照明（像）を作り出すことが可能となる。
【００１２】
請求項４に記載の発明は、請求項１から３のいずれかに記載の発明において、前記複数の個別傾斜面の断面が直線、円形、楕円形、又は、多角形のうちのいずれかであることを特徴とする。
【００１３】
請求項４に記載の発明によれば、例えば、断面が直線の個別傾斜面を採用することで、特定の方向に発光強度を持つ棒状の光を出現させることが可能となる。また例えば、断面が円形等の個別傾斜面を採用することで、所定範囲に略均等な発光強度を持つ棒状の光を出現させることが可能となる。
【００１４】
請求項５に記載の発明は、請求項１から４のいずれかに記載の発明において、前記反射面の断面が直線、円形、楕円形、又は、多角形のうちのいずれかであることを特徴とする。
【００１５】
請求項５に記載の発明によれば、例えば、断面が直線の反射面を採用することで、棒状の光（実像）と略同一形状の棒状の光（虚像）を作り出すことが可能となる。また例えば、断面が円形等の凸反射面を採用することで、棒状の光（実像）より太い形状の棒状の光（虚像）を作り出すことが可能となる。また例えば、断面が円形等の凹反射面を採用することで、棒状の光（実像）より細い形状の棒状の光（虚像）を作り出すことが可能となる。
【００１６】
請求項６に記載の発明は、光源から入射した光を反射することにより棒状の光を出現させる透明又は半透明材料により形成された導光部材において、前記光源から入射した光を反射する複数の個別反射面を備えており、前記複数の個別反射面は、前記光源の光軸に対して略直交する方向に延びており、かつ、前記光源の光軸に対して所定角度傾斜した方向に配置されていることを特徴とする。
【００１７】
請求項６に記載の発明によれば、光源の光軸に対して所定角度傾斜した方向に配置された複数の個別反射面により光源から導光部材に入射した光を反射することにより、棒状の光（実像）を出現させることが可能となる。
【００１８】
また、請求項６に記載の発明によれば、光源が発光した光は導光部材に入射し導光部材を通って各個別反射面に達して各個別反射面で反射する。これにより、棒状の光が出現する。すなわち、従来と比較して各個別反射面に達する間に拡散する光が少なくなるので、光の利用効率を向上させることが可能となる。
【発明の効果】
【００１９】
本発明によれば、棒状の光（像）を形成することができ、かつ、光源が発光した光の利用効率が高い照明装置を提供することが可能となる。
【発明を実施するための最良の形態】
【００２０】
以下、本発明の一実施形態である照明装置について図面を参照しながら説明する。
【００２１】
図１は、本実施形態の照明装置の外観を説明するための平面図である。図２は、図１に示した照明装置をＡ−Ａ´で切断した断面図である。
【００２２】
照明装置１００は、一般照明灯具、車両のバックライト照明装置、遊技機等の各種装置２００に設けられる照明装置であり、図１、図２に示すように、透明又は半透明の合成樹脂等の材料により形成された導光部材１０、導光部材１０に入射させる光を発光する光源２０（例えば、単色又はＲＧＢの三色のＬＥＤ、又は白熱電球）、金属板等により形成された反射板３０、及び、透明又は半透明の合成樹脂等の材料により形成されたカバー４０等を備えている。
【００２３】
図３は導光部材１０の斜視図である。図４は導光部材１０の側面図である。
【００２４】
図２から図４に示すように、導光部材１０は、第１平面１１と、この第１平面１１に直交した第２平面１２と、この第２平面１２に対して所定角度ａ傾斜した傾斜面１３とにより規定される断面略直角三角形の略三角柱形状に形成されている。
【００２５】
第１平面１１側には光源２０が配置されており、光源２０が発光した光が第１平面を介して導光部材１０に入射するようになっている。傾斜面１３には例えば傾斜面１３を所定ピッチ（例えば一定間隔０．２ｍｍ）でカットすることにより複数の個別反射面１３ａが形成されている。なお、不連続の間隔でカットすることにより個別反射面１３ａを形成してもよい。
【００２６】
個別反射面１３ａは、光源２０から導光部材１０に入射した光を反射することにより棒状の光を出現させるための反射面である。個別反射面１３ａは、図２から図４に示すように、光源２０の光軸に対して略直交する方向（導光部材１０の幅方向）に延びており、かつ、光源２０の光軸に対して所定角度ａ（０〜９０度）傾斜した方向に配置されている。個別反射面１３ａは、例えば、光源２０の光軸に対して所定角度傾斜した傾斜平面である。なお、個別反射面１３ａと個別反射面１３ａの間には光源２０の光軸に対して略平行な個別平面１３ｂが形成されている。
【００２７】
図４に示すように、光源２０から導光部材１０に入射した光は導光部材１０を通って各個別反射面１３ａに達して各個別反射面１３ａで反射する。これにより、図５に示すように、棒状の光Ｌ１（実像）が出現する。この棒状の光Ｌ１（実像）は、第２平面１２側に視点を置くと、図６（Ａ）（Ｂ）に示すように、所定角度（光源２０の光軸（又は第２平面１２）と傾斜面１３との間の角度ａに応じた角度Ａ）傾斜しているように視認される。この棒状の光Ｌ１（実像）の傾斜角度Ａは、光源２０の光軸（又は第２平面１２）と傾斜面１３との間の角度ａ（図２参照）を変更することで調整可能である。
【００２８】
反射板３０は、その反射面３１によりこの出現した棒状の光Ｌ１（実像）を反射し虚像を作り出す。反射板３０（反射面３１）は、図２に示すように、傾斜面１３に対して所定角度ｂ（０〜９０度）傾斜した状態で配置されている。反射板３０（反射面３１）は、例えば、棒状の光Ｌ１（実像）に隣接する位置に棒状の光Ｌ２（虚像）が作られるように金属板を曲げ加工して形成されている。図７は、二つの光源２０により二つの棒状の光Ｌ１が出現したことを表しており、それぞれの棒状の光Ｌ１に隣接する位置に虚像を作り出すために、二つの反射面３１を配置した例である。
【００２９】
棒状の光Ｌ１（実像）が反射面３１で反射すると、図７に示すように、棒状の光Ｌ１（実像）に隣接する位置に棒状の光Ｌ２（虚像）が作られる。この棒状の光Ｌ１（実像）と棒状の光Ｌ２（虚像）の間隔は金属板の曲げ角度を変更することで調整可能である。
【００３０】
この棒状の光Ｌ２（虚像）は、第２平面１２側に視点を置くと、図６（Ａ）（Ｂ）に示すように、所定角度（傾斜面１３と反射面との間の角度ｂに応じた角度Ｂ）傾斜しているように視認される。この棒状の光Ｌ２（虚像）は棒状の光Ｌ１（実像）とは逆方向に傾斜しているように視認される。
【００３１】
すなわち、第２平面１２側に視点を置くと、棒状の光Ｌ１（実像）と棒状の光Ｌ２（虚像）は、立体交差した奥行き感のある二本の棒状の光として視認される（図６（Ａ）（Ｂ）参照）。
【００３２】
この棒状の光Ｌ２（虚像）の傾斜角度Ｂは、傾斜面１３と反射面３１との間の角度ｂを変更することで調整可能である。なお、傾斜角度ａと傾斜角度ｂ（図２参照）を一致させると、棒状の光Ｌ１（実像）と棒状の光Ｌ２（虚像）の傾斜角度Ａ、Ｂが略同一となる。
【００３３】
以上説明したように、本実施形態の照明装置１００によれば、光源２０の光軸に対して所定角度ａ傾斜した方向に配置された複数の個別反射面１３ａにより光源２０から導光部材１０に入射した光を反射することにより、この所定傾斜角度ａに応じた角度Ａ傾斜しているように視認される棒状の光Ｌ１（実像）を出現させることが可能となる。すなわち、本実施形態の照明装置１００によれば、光源２０による点発光を線発光（略面発光）である棒状の光Ｌ１（実像）に変換することが可能となる。
【００３４】
また、本実施形態の照明装置１００によれば、光源２０が発光した光は導光部材１０に入射し導光部材１０を通って各個別反射面１３ａに達して各個別反射面１３ａで反射する。これにより、棒状の光Ｌ１が出現する。すなわち、従来と比較して各個別反射面１３ａに達する間に拡散する光が少なくなるので、光の利用効率を向上させることが可能となる。
【００３５】
また、本実施形態の照明装置１００によれば、個別反射面１３ａは光源２０の光軸に対して所定角度傾斜した傾斜平面（断面が直線形状の反射面）であるので、特定の方向に発光強度を持つ棒状の光Ｌ１を出現させることが可能となる。
【００３６】
また、本実施形態の照明装置１００によれば、反射面３１を備えているので、光源２０が一つであっても複数の棒状の光Ｌ１、Ｌ２を視認させることが可能となる。すなわち、光の利用効率をさらに向上させることが可能となる。これにより、光源削減、コスト低下が可能となる。
【００３７】
また、本実施形態の照明装置１００によれば、傾斜面１３に対して所定角度ｂ傾斜した状態で配置された反射面３１により棒状の光Ｌ１（実像）を反射するので、この所定傾斜角度ｂに応じた角度Ｂ傾斜しているように視認される棒状の光Ｌ２（虚像）を作り出すことが可能となる。この棒状の光Ｌ２（虚像）は、棒状の光Ｌ１（実像）とは逆方向に傾斜しているように視認される。すなわち、本実施形態の照明装置１００によれば、棒状の光Ｌ１（実像）と棒状の光Ｌ２（虚像）が立体交差しているように視認される奥行き感のある新規照明（像）を作り出すことが可能となる。
【００３８】
次に変形例について説明する。
【００３９】
本実施形態では、個別反射面１３ａは光源２０の光軸に対して所定角度傾斜した傾斜平面（断面が直線形状の反射面）であるように説明したが、本発明はこれに限定されない。例えば、図８に示すように、個別反射面１３ａとして断面が楕円形状の反射面を採用してもよい。あるいは個別反射面１３ａとして、断面が円形、又は、多角形の反射面を採用してもよい。このようにすれば、所定範囲Ｈに略均等な発光強度を持つ棒状の光Ｌ１を出現させることが可能となる。
【００４０】
また、本実施形態では、反射板３０の反射面３１は平面（断面が直線形状の反射面）であるように説明したが、本発明はこれに限定されない。例えば、図９に示すように、反射面３１として断面が凹又は凸の楕円形状の反射面を採用してもよい。あるいは、図示しないが、反射面３１として断面が円形、又は、多角形の反射面を採用してもよい。例えば、反射面３１として断面が楕円形の凸反射面を採用することで、棒状の光Ｌ１（実像）より太い形状の棒状の光Ｌ２（虚像）を作り出すことが可能となる。また、棒状の光Ｌ１（実像）と棒状の光Ｌ２（虚像）の間隔を調整することが可能となる。また例えば、反射面３１として断面が楕円形の凹反射面を採用することで、棒状の光Ｌ１（実像）より細い形状の棒状の光Ｌ２（虚像）を作り出すことが可能となる。また、棒状の光Ｌ１（実像）と棒状の光Ｌ２（虚像）の間隔を調整することが可能となる。
【００４１】
また、本実施形態では、傾斜面１３には一定間隔０．２ｍｍで複数の個別反射面１３ａが形成されているように説明したが本発明はこれに限定されない。例えば、一定間隔２ｍｍ、あるいは、２ｃｍで複数の個別反射面１３ａを形成してもよい。このようにすれば、図１０に示すように、点線状の棒状の光Ｌ１を出現させることが可能となる。
【００４２】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００４３】
【図１】本実施形態の照明装置の外観を説明するための平面図である。
【図２】図１に示した照明装置をＡ−Ａ´で切断した断面図である。
【図３】導光部材１０の斜視図である。
【図４】導光部材１０の側面図である。
【図５】出現した棒状の光Ｌ１（実像）を説明するための図である。
【図６】出現した棒状の光Ｌ１（実像）、Ｌ２（虚像）との関係を説明するための図である。
【図７】図１に示した照明装置をＢ−Ｂ´で切断した断面図である。
【図８】導光部材１０の変形例を説明するための図である。
【図９】反射板３０の変形例を説明するための図である。
【図１０】反射板３０の変形例を説明するための図である。
【符号の説明】
【００４４】
１０…導光部材、１１…第１平面、１２…平面、１３…傾斜面、１３ａ…個別反射面、１３ｂ…個別平面、２０…光源、３０…反射板、３１…反射面、４０…カバー、１００…照明装置、２００…各種装置
【図１】
2008292658.tif 000003
【図２】
2008292658.tif 000004
【図３】
2008292658.tif 000005
【図４】
2008292658.tif 000006
【図５】
2008292658.tif 000007
【図６】
2008292658.tif 000008
【図７】
2008292658.tif 000009
【図８】
2008292658.tif 000010
【図９】
2008292658.tif 000011
【図１０】
2008292658.tif 000012